(57)【要約】【課題】  変圧器などに設けられているタップを変更する際の作業性を向上させたタップ変更工具を提供する。【解決手段】  ボックスドライバーａのシャフトａ２に取り付けられると共に、内部が中空の収納手段（収納部１３、固定部１４）と、シャフトａ２の長手方向に所定の距離だけ移動可能なように収納手段の中空を貫通している棒状体であり、一方の端部がボックスドライバーａのグリップａ１近傍に位置すると共に他方の端部がドライバーのソケットａ３近傍に位置する軸部１１と、軸部１１の他方の端部に設けられ、軸部の一方の端部およびドライバーの少なくとも一方が押されたときに切替板を挟む把持手段（第１の把持部１５、第２の把持部１６）とを備え、把持手段は、切替板と向かい合う端面側で切替板を挟み、収納手段は、中空内に設けられた押圧バネ１５ｆの弾性力によって、軸部１１を一方の端部に向かう方向Ａ１に押している。【選択図】  図１６
2017127935.tif 000002
【特許請求の範囲】
【請求項１】
複数の端子が設けられている端子台を備える電気設備の前記端子間に取り付けられている切替板の接続を変更する際に使用されるタップ変更工具であって、
ドライバーのシャフトに取り付けられると共に、内部が中空の収納手段と、
前記シャフトの長手方向に所定の距離だけ移動可能なように前記収納手段の中空を貫通している棒状体であり、一方の端部が前記ドライバーのグリップ近傍に位置すると共に他方の端部が前記ドライバーのソケット近傍に位置する軸部と、
前記軸部の他方の端部に設けられ、前記軸部の一方の端部および前記ドライバーの少なくとも一方が押されたときに前記切替板を挟む把持手段と、
を備え、
前記把持手段は、前記切替板と向かい合う端面側で前記切替板を挟み、
前記収納手段は、前記中空内に設けられた弾性体の弾性力によって、前記軸部を前記一方の端部に向かう方向に押している、
ことを特徴とするタップ変更工具。
【請求項２】
前記把持手段は、把持孔が前記端面側に開けられ、前記軸部の一方の端部および前記ドライバーの少なくとも一方が押されたときに、前記切替板から突出している突起が前記把持孔に入り込んで前記切替板を把持する第１の把持部である、
ことを特徴とする請求項１に記載のタップ変更工具。
【請求項３】
前記把持手段は、前記端面側からＬ字状に設けられた係止部を備え、前記軸部の一方の端部が押されて回されたときに、前記切替板の端部が折り返されて形成された隙間である折り返し部に前記係止部が入り込んで前記切替板を把持する第２の把持部である、
ことを特徴とする請求項１に記載のタップ変更工具。
【請求項４】
前記把持手段は、
把持孔が前記端面側に開けられ、前記軸部の一方の端部および前記ドライバーの少なくとも一方が押されたときに、前記切替板から突出している突起が前記把持孔に入り込んで前記切替板を把持する前記第１の把持部と、
前記端面側からＬ字状に設けられた係止部を備え、前記軸部の一方の端部が押されて回されたときに、前記切替板の端部が折り返されて形成された隙間である折り返し部に前記係止部が入り込んで前記切替板を把持する第２の把持部と、
を備え、
前記第２の把持部は、前記軸部の他方の端部側に設けられ、
前記第１の把持部は、前記第２の把持部に併設されている、
ことを特徴とする請求項１に記載のタップ変更工具。
【請求項５】
前記第１の把持部および前記第２の把持部を前記軸部に対して差し込むことにより、前記第１の把持部および前記第２の把持部を前記軸部に装着すると共に前記第１の把持部および前記第２の把持部を着脱可能にした、
ことを特徴とする請求項４に記載のタップ変更工具。
【発明の詳細な説明】
【技術分野】
【０００１】
この発明は、電気設備に設けられているタップを変更する際に用いられるタップ変更工具に関する。
【背景技術】
【０００２】
電気設備には、例えば配電系統などに設置されている変圧器がある。変圧器に対しては、２次側電圧を所定値にするためにタップ変更が行われる。このために、図２２に示すように、変圧器には端子台２１０が設けられている。端子台２１０から突出するように、端子台２１０には棒状の端子２１１ａ〜２１１ｆが設けられている。端子２１１ａ〜２１１ｆにはネジが形成されていて、このネジに対してナット２１２ａ〜２１２ｆが装着されている。そして、変圧器の２次側電圧が所定値になるように、端子間が長板状の切替板２２０によって電気的に接続される。このとき、ナットにより切替板２２０が端子にそれぞれ固定される。図２２では、端子２１１ａと端子２１１ｄとの間を切替板２２０で接続している。
【０００３】
こうした変圧器では絶縁のために絶縁油が注入されている。このために、端子台２１０、端子２１１ａ〜２１１ｆ、ナット２１２ａ〜２１２ｆや切替板２２０が絶縁油に浸されている。変圧器のタップ変更は、変圧器内の狭いスペースにおいて行われる。つまり、絶縁油の中にある端子台にナットで切替板２２０が２箇所固定されている。タップ変更をするために、作業者は、６角型のボックスドライバーで切替板２２０を締め付けている２箇所のナットと、移動先となる箇所のナットを緩める。この後、作業者は、取り外しが可能になった切替板２２０の突起２２１をペンチ等で挟み、指定の位置に移動する。そして、緩めたナットをボックスドライバーで締め付けて、切替板２２０を固定する。切替板２２０の突起２２１は、板状の切替板２２０から直角に立ち上がるように、切替板２２０に形成されている。
【０００４】
このように絶縁油に浸されている端子台２１０に対する作業を補助するために、ナット２１２ａ〜２１２ｆを回すためのドライバーと、切替板２２０を保持するためのピックアップツールとを一体にした工具がある（例えば、特許文献１参照。）。
【先行技術文献】
【特許文献】
【０００５】
【特許文献１】特開２００６−３３９４２２号公報
【発明の概要】
【発明が解決しようとする課題】
【０００６】
しかし、先に述べた従来の作業方法でタップ変更を行なうと、ボックスドライバーと、ペンチ等の挟むものとを使用する。このため、複数の工具が変圧器内の絶縁油に触れることによる汚染が発生する。また、工具の持ち替えや同時使用による手間と熟練性とが作業者には必要である。さらに、変圧器内への工具落下の危険性がある。
【０００７】
一方、先に述べた工具には次の課題がある。この工具は、切替板２２０の移動を行うために、２本のドライバーと１本のピックアップツールとが一体化されている。このために、変圧器内の狭いスペースにおいて行われるタップ変更の作業では、工具が大きすぎて取り扱いが難しい。例えば、ピックアップツールで切替板２２０を保持した後、作業者は工具を操作して切替板２２０の向きを変えて、別の端子２１１に切替板２２０を取り付ける必要がある。このとき、工具は２本のドライバーと１本のピックアップツールとが一体化されているので、変圧器内の狭いスペースでは、工具の向きを変えることが困難である。つまり、この工具には、作業性が良くないという課題がある。
【０００８】
この発明の目的は、前記の課題を解決し、変圧器などに設けられているタップを変更する際の作業性を向上させたタップ変更工具を提供することにある。
【課題を解決するための手段】
【０００９】
前記の課題を解決するために、請求項１の発明は、複数の端子が設けられている端子台を備える電気設備の前記端子間に取り付けられている切替板の接続を変更する際に使用されるタップ変更工具であって、ドライバーのシャフトに取り付けられると共に、内部が中空の収納手段と、前記シャフトの長手方向に所定の距離だけ移動可能なように前記収納手段の中空を貫通している棒状体であり、一方の端部が前記ドライバーのグリップ近傍に位置すると共に他方の端部が前記ドライバーのソケット近傍に位置する軸部と、前記軸部の他方の端部に設けられ、前記軸部の一方の端部および前記ドライバーの少なくとも一方が押されたときに前記切替板を挟む把持手段と、を備え、前記把持手段は、前記切替板と向かい合う端面側で前記切替板を挟み、前記収納手段は、前記中空内に設けられた弾性体の弾性力によって、前記軸部を前記一方の端部に向かう方向に押している、ことを特徴とするタップ変更工具である。
【００１０】
請求項１の発明では、収納手段がドライバーのシャフトに設けられて、タップ変更工具は１本のドライバーと共に使用される。つまり、軸部の一方の端部およびドライバーの少なくとも一方を押すことで、変圧器の切替板を把持手段が挟む。この後、加えていた押圧力を離すと、収納部に設けられている弾性体の弾性力によって、把持手段が切替板を強く把持する。
【００１１】
請求項２の発明は、請求項１に記載のタップ変更工具において、前記把持手段は、把持孔が前記端面側に開けられ、前記軸部の一方の端部および前記ドライバーの少なくとも一方が押されたときに、前記切替板から突出している突起が前記把持孔に入り込んで前記切替板を把持する第１の把持部である、ことを特徴とする。
【００１２】
請求項３の発明は、請求項１に記載のタップ変更工具において、前記把持手段は、前記端面側からＬ字状に設けられた係止部を備え、前記軸部の一方の端部が押されて回されたときに、前記切替板の端部が折り返されて形成された隙間である折り返し部に前記係止部が入り込んで前記切替板を把持する第２の把持部である、ことを特徴とする。
【００１３】
請求項４の発明は、請求項１に記載のタップ変更工具において、前記把持手段は、把持孔が前記端面側に開けられ、前記軸部の一方の端部および前記ドライバーの少なくとも一方が押されたときに、前記切替板から突出している突起が前記把持孔に入り込んで前記切替板を把持する前記第１の把持部と、前記端面側からＬ字状に設けられた係止部を備え、前記軸部の一方の端部が押されて回されたときに、前記切替板の端部が折り返されて形成された隙間である折り返し部に前記係止部が入り込んで前記切替板を把持する第２の把持部と、を備え、前記第２の把持部は、前記軸部の他方の端部側に設けられ、前記第１の把持部は、前記第２の把持部に併設されている、ことを特徴とする。
【００１４】
請求項５の発明は、請求項４に記載のタップ変更工具において、前記第１の把持部および前記第２の把持部を前記軸部に対して差し込むことにより、前記第１の把持部および前記第２の把持部を前記軸部に装着すると共に前記第１の把持部および前記第２の把持部を着脱可能にした、ことを特徴とする。
【発明の効果】
【００１５】
請求項１の発明によれば、ドライバーのシャフトに設けられ、かつ、軸部の一方の端部およびドライバーの少なくとも一方を押すことで、変圧器の切替板を把持手段が挟み、この後、加えていた押圧力を離すと、弾性力によって把持手段が切替板を強く把持する。これにより、タップ変更工具が装着されたドライバーを持ち替える必要がないため、従来の方法で生じていた、作業習熟度による作業時間の差が無くなり、作業時間の短縮が図れる。また、この発明によれば、工具の持ち替えがなくなるため、変圧器内へ落下の恐れが減少する。さらに、この発明によれば、市販のドライバーに対する付加装置としてタップ変更工具を取り付けるため、既存の工具が使用でき、コスト低減が図れる。
【００１６】
請求項２の発明によれば、突起が切替板から突出しているタイプの端子台について、この端子台の切替板を把持することを可能にする。
【００１７】
請求項３の発明によれば、端部が折り返されているタイプの端子台について、この端子台の切替板を把持することを可能にする。
【００１８】
請求項４の発明によれば、突起が切替板から突出しているタイプの端子台について、この端子台の切替板を把持することを可能にすると共に端部が折り返されているタイプの端子台について、この端子台の切替板を把持することを可能にする。つまり、この発明によれば、２つのタイプの端子台について、切替板を把持することを可能にする。
【００１９】
請求項５の発明によれば、突起が切替板から突出しているタイプの端子台用または端部が折り返されているタイプの端子台用として、必要に応じて工具を変更することができる。
【図面の簡単な説明】
【００２０】
【図１】この発明の実施の形態１によるタップ変更工具を示す正面図である。
【図２】タップ変更工具をボックスドライバーから切り離した状態を示す正面図である。
【図３】軸部を示す正面図である。
【図４】収納部の取り付けを示す正面図である。
【図５】収納部の内部を示す部分断面図である。
【図６】収納部および固定部の側面を示す側面図である。
【図７】第１の把持部の取り付けを示す正面図である。
【図８】第１の把持部を側面および断面により示す図である。
【図９】第２の把持部を示す斜視図である。
【図１０】把持部の取り付けの様子を側面および断面により示す図である。
【図１１】変圧器の第１の端子台を示す正面図である。
【図１２】変圧器の第１の端子台を示す平面図である。
【図１３】第１の端子台に用いられる切替板を示す平面図である。
【図１４】変圧器の第２の端子台を示す正面図である。
【図１５】変圧器の第２の端子台を示す平面図である。
【図１６】ボックスドライバーに対するタップ変更工具の取り付けの様子を示す正面図である。
【図１７】タップ変更工具を操作したときの様子を示す正面図である。
【図１８】第１の把持部による切替板の把持の様子を示す平面図である。
【図１９】第２の把持部による切替板の把持の様子を示す平面図である。
【図２０】第１の把持部を専用とする場合の構造を側面と断面とで示す図である。
【図２１】第２の把持部を専用とする場合の構造を側面と断面とで示す図である。
【図２２】変圧器の端子台を示す平面図である。
【発明を実施するための形態】
【００２１】
次に、この発明の各実施の形態について、図面を用いて詳しく説明する。
【００２２】
（実施の形態１）
この実施の形態によるタップ変更工具を図１〜図１０に示す。図１および図２に示すように、このタップ変更工具１は、ボックスドライバーａに取り付けられて使用される。つまり、タップ変更工具１は、ボックスドライバーａのグリップａ１に設けられている、棒状のシャフトａ２に装着されて使用される。ボックスドライバーａのシャフトａ２の先端にはソケットａ３が設けられている。ソケットａ３は、変圧器の端子台に用いられているナットを回すためのものである。
【００２３】
この実施の形態によるタップ変更工具１は、変圧器の２種類の端子台に用いることができる。ここで、変圧器の端子台について説明する。端子台の一つは従来からある、切替板が単独であるものである。もう一つは新型の切替板にナットが取り付けられているものである。
【００２４】
第１の端子台を図１１〜図１３に示す。第１の端子台１１０は、図２２と同じようなものである。第１の端子台１１０は板状の絶縁板１１１を備え、絶縁板１１１から突出するように、絶縁板１１１には棒状の端子１１２ａ、１１２ｂが設けられている。なお、図１１〜図１３には２つの端子１１２ａ、１１２ｂが示されているが、図２２と同じように、絶縁板１１１には、端子１１２ａ、１１２ｂを含む、電圧切替用の複数の端子が設けられている。端子１１２ａ、１１２ｂにはネジが形成されている。さらに、端子１１２ａ、１１２ｂには、座金１１３ａ、１１３ｂを介在して、ナット１１４ａ、１１４ｂが取り付けられている。
【００２５】
第１の端子台１１０には、所定の２次側電圧を得るために切替板１１５が取り付けられる。切替板１１５は、図１３に示すように長板状の形状であり、切替板１１５の長手方向に切欠き１１５ａ、１１５ｂが互いに向かい合うように設けられている。切欠き１１５ａ、１１５ｂの幅は、端子１１２ａ、１１２ｂを通すためのものである。切欠き１１５ａ、１１５ｂにより、切替板１１５はＨ字形状になり、４本のアーム部１１５ｃ〜１１５ｆが形成される。この実施の形態では、アーム部１１５ｃ、１１５ｄは、座金１１３ａを介在して、ナット１１２ａにより第１の端子台１１０に固定され、アーム部１１５ｅ、１１５ｆは、座金１１３ｂを介在して、ナット１１２ｂにより第１の端子台１１０に固定される。また、切替板１１５には、図２２に示す切替板２２０の突起２２１と同様の突起１１５ｇが設けられている。突起１１５ｇは、板状の切替板１１５から直角に立ち上がるように形成されている。
【００２６】
第２の端子台を図１４と図１５とに示す。第２の端子台１２０は、板状の絶縁板１２１を備え、絶縁板１２１から突出するように、絶縁板１２１には棒状の端子１２２ａ、１２２ｂが設けられている。端子１２２ａ、１２２ｂにはネジが形成されている。なお、図１４と図１５には２つの端子１２２ａ、１２２ｂが示されているが、図２２と同じように、端子１２２ａ、１２２ｂを含む、電圧切替用の複数の端子が絶縁板１２１に設けられている。
【００２７】
第２の端子台１２０には、所定の２次側電圧を得るために、切替板１２３が取り付けられる。切替板１２３にはナット１２４、１２５が取り付けられている。ナット１２４、１２５は切替板１２３から外れない構造である。ナット１２４とナット１２５とは同じものであり、ここでは、ナット１２４について説明する。ナット１２４が切替板１２３から外れない構造にするために、ナット１２４には、このナット１２４を１周するように切欠き１２４ａが設けられている。これにより、ナット１２４には、第１のナット部１２４ｂと第２のナット部１２４ｃとが形成される。
【００２８】
一方、切替板１２３は長板状の形状であり、切替板１２３の長手方向に切欠き１２３ａ、１２３ｂが互いに向かい合うように設けられている。これにより、切替板１２３はＨ字形状になり、４本のアーム部１２３ｃ〜１２３ｆが形成される。アーム部１２３ｃ、１２３ｄの連結部分およびアーム部１２３ｅ、１２３ｆの連結部分は、切替板１２３の中心部に向けて折り返される。この結果、アーム部１２３ｃ、１２３ｄにより、Ｕ字形状の空間が折り返し部１２３ｇ、１２３ｈとして形成され、アーム部１２３ｅ、１２３ｆにより、Ｕ字形状の空間が折り返し部１２３ｉ、１２３ｊとして形成される。さらに、切欠き１２３ａ、１２３ｂと向かい合うように、切替板１２３には、長円形状の長孔１２３ｋ、１２３ｍが形成されている。
【００２９】
切欠き１２３ａはナット１２４の切欠き１２４ｇを通すためのものであり、長孔１２３ｋは端子１２２ａを通すためのものである。同じように、切欠き１２３ｂはナット１２５の切欠きを通すためのものであり、長孔１２３ｍは端子１２２ｂを通すためのものである。つまり、切替板１２３の折り返し部１２３ｇ、１２３ｈには、ナット１２４の第２のナット部１２４ｃが挿入され、折り返されたアーム部１２３ｃ、１２３ｄの間には、ナット１２４の切欠き１２４ａが入り込む。これにより、ナット１２４の第１のナット部１２４ｂが折り返されたアーム部１２３ｃ、１２３ｄから突出した状態で、ナット１２４が折り返し部１２３ｇ、１２３ｈを切替板１２３の長手方向つまり矢印Ｂ１の方向に自在に移動可能になる。
【００３０】
さらに、切替板１２３のアーム部１２３ｃ、１２３ｄの先端部分が折り返し部１２３ｇ、１２３ｈの内側に向けて曲げられている。これにより、ナット１２４がアーム部１２３ｃ、１２３ｄから脱落することを防いでいる。
【００３１】
切替板１２３のアーム部１２３ｅ、１２３ｆはアーム部１２３ｃ、１２３ｄと同様である。つまり、アーム部１２３ｅ、１２３ｆに形成された折り返し部１２３ｉ、１２３ｊとの間に、ナット１２５が保持される。これにより、ナット１２４と同じように、ナット１２５が折り返し部１２３ｉ、１２３ｊを切替板１２３の矢印Ｂ１の方向に自在に移動可能になる。
【００３２】
そして、変圧器の第１の端子台１１０および第２の端子台１２０は、図２２と同じように、絶縁のために絶縁油に浸されている。
【００３３】
こうした第１の端子台１１０と第２の端子台１２０との両方に使用可能なタップ変更工具１０（図１、図２）は、軸部１１と、取っ手１２と、収納部１３と、固定部１４と、第１の把持部１５と、第２の把持部１６とで構成されている。軸部１１〜第２の把持部１６は、作業者により加えられる押圧力により変形しないような、任意の材料で構成されている。
【００３４】
軸部１１は、棒状体１１ａ、１１ｂと接合部１１ｃとで構成されている。棒状体１１ｂはボックスドライバーａのシャフトａ２と同じ位の長さであり、棒状体１１ｂの直径もシャフトａ２と同じくらいの長さである。棒状体１１ａは、棒状体１１ｂに比べて短くなっていて、棒状体１１ａの直径は棒状体１１ｂと同じくらいの大きさである。棒状体１１ａと棒状体１１ｂとは、図３に示すように、互いに長手方向が平行になるように、接合部１１ｃによって接続されている。この実施の形態では、棒状体１１ａと棒状体１１ｂとが接合部１１ｃに差し込まれて固定されている。この接合部１１ｃによって、棒状体１１ａが棒状体１１ｂに対して段差をもって固定されている。これは、タップ変更工具１０がボックスドライバーａに取り付けられたときに、棒状体１１ａや取っ手１２がボックスドライバーａのグリップａ１と接触しないようにするためである。
【００３５】
軸部１１の一方の先端部分１１ａ１には取っ手１２が固定されている。取っ手１２は、変圧器のタップ変更の際に、作業者が軸部１１を押したり回したりするためのツマミである。軸部１１の他方の先端部分１１ｂ１には第１の把持部１５や第２の把持部１６が取り付けられる。
【００３６】
棒状体１１ｂの中央位の部分には、図４に示すように、収納部１３が取り付けられている。収納部１３は、図５に示すように、内部が中空の長方形をした箱体である。収納部１３が棒状体１１ｂと交差する、収納部１３の両側面１３ａ、１３ｂ、つまり、軸部１１の一方の先端部分１１ａ１側の側面１３ａと、軸部１１の他方の先端部分１１ｂ１側の側面１３ｂには、貫通孔１３ａ１、１３ｂ１が互いに向かい合うように開けられている。棒状体１１ｂは、貫通孔１３ａ１、１３ｂ１を移動可能に、つまり、棒状体１１ｂの長手方向に移動可能に、かつ、棒状体１１ｂの軸を中心に回転可能に収納部１３を貫通している。
【００３７】
収納部１３の内部では、軸部１１の棒状体１１ｂに対して、円板状のガイド板１１ｂ２が設けられている。この実施の形態では、ガイド板１１ｂ２は棒状体１１ｂに対して一体で形成されている。ガイド板１１ｂ２の直径は貫通孔１３ａ１、１３ｂ１の直径より大きく、ガイド板１１ｂ２は収納部１３内で側面１３ａと共に棒状体１１ｂの動きを規制している。つまり、ガイド板１１ｂ２が収納部１３ｃの内部を移動する距離を所定距離とすると、棒状体１１ｂはこの所定距離だけ移動可能である。
【００３８】
収納部１３の内部には、棒状体１１ｂのガイド板１１ｂ２を押しているコイル状のバネ１７が取り付けられている。換言すれば、収納部１３の側面１３ｂとガイド板１１ｂ２との間に、かつ、棒状体１１ｂを通して、バネ１７が取り付けられている。バネ１７は、弾性力によって棒状体１１ｂのガイド板１１ｂ２を棒状体１１ｂの一方の長手方向に、つまり、軸部１１の一方の先端部分１１ａ１（図３）に向かう方向（矢印Ａ１の方向）に、ガイド板１１ｂ２を押している。
【００３９】
収納部１３の長尺面１３ｃには、図６に示すように、立方体状の固定部１４が収納部１３の側面１３ｂ側に設けられている。この実施の形態では、固定部１４は収納部１３と一体的に形成されている。固定部１４の側面１４ａと向かい合う側面１４ｂが収納部１３の側面１３ｂと同一平面を形成するように、固定部１４は収納部１３に設けられている。固定部１４には、側面１４ａから側面１４ｂを貫通するように、貫通孔１４ｃが開けられている。貫通孔１４ｃは、ボックスドライバーａのシャフトａ２を通して固定するためのものである。
【００４０】
軸部１１の他方の先端部分１１ｂ１には、第１の把持部１５が取り付けられている。つまり、図７に示すように、軸部１１の先端部分１１ｂ１が把持部１５に入り込むことで、把持部１５が軸部１１に取り付けられている。把持部１５は、図８に示すように、２つの円柱体を合わせたような、側面が８字形の本体１５ａを備えている。本体１５ａの第１の円柱部分１５ｂには、棒状体１１ｂの他方の先端部分１１ｂ１を通して固定するための第１の貫通孔１５ｂ１が円柱部分１５ｂの軸方向に開けられている。つまり、円柱部分１５ｂの両端面間に貫通孔１５ｂ１が開けられている。
【００４１】
第１の把持部１５の貫通孔１５ｂ１には、この貫通孔１５ｂ１に差し込まれた棒状体１１ｂと向かい合うように、第２の把持部１６が差し込まれるが、この第２の把持部１６については後述する。
【００４２】
第１の把持部１５の本体１５ａの第２の円柱部分１５ｃには、第２の貫通孔１５ｃ１が開けられている。さらに、円柱部分１５ｃには、貫通孔１５ｃ１の両端部から、この貫通孔１５ｃ１の中心方向に向かうように延びている円環体１５ｃ２、１５ｃ３が形成されている。こうした形状の貫通孔１５ｃ１に嵌め合うように、貫通孔１５ｃ１には把持体１５ｄが回転自在に設けられている。つまり、円柱体の両端面に段差が形成された把持体１５ｄが貫通孔１５ｃ１に回転自在にはめ込まれている。この段差が円環体１５ｃ２、１５ｃ３と係合しているので、把持体１５ｄが貫通孔１５ｃ１から脱落することを防ぎ、かつ、把持体１５ｄが回転可能になる。
【００４３】
把持体１５ｄには、この把持体１５ｄの両側面を貫通するように、側面の形状が長方形の把持孔１５ｅが開けられている。把持孔１５ｅは、切替板１１５の突起１１５ｇが入り込むように、大きく形成されている。
【００４４】
また、把持体１５ｄの把持孔１５ｅには、断面がＬ字形の板状の押圧バネ１５ｆが取り付けられている。つまり、押圧バネ１５ｆの幅の広い板状部分が把持孔１５ｅに入り込んだ状態で、幅の狭い板状部分が把持体１５ｄの側面に固定されている。これにより、押圧バネ１５ｆは、把持孔１５ｅに入り込んだ切替板１１５の突起１１５ｇを押圧して簡単に外れないように、確実に突起１１５ｇを把持する。
【００４５】
ところで、先に述べたように、第１の把持部１５の貫通孔１５ｂ１には、この貫通孔１５ｂ１に差し込まれた棒状体１１ｂと向かい合うように、第２の把持部１６が差し込まれる。つまり、第１の把持部１５には第２の把持部１６が併設されている。把持部１６は、図９に示すように、円柱体１６aを備えている。円柱体１６aの直径は、棒状体１１ｂと略同じである。つまり、円柱体１６aは、図１０に示すように、一方の端面１６ａ１から把持部１５の貫通孔１５ｂ１に差し込まれて、固定されている。このとき、円柱体１６aの他方の端面１６ａ２側は、貫通孔１５ｂ１から突出している状態である。
【００４６】
円柱体１６aの他方の端面１６ａ２側には、係止部１６ｂが設けられている。係止部１６ｂは、直方体の形をしていて、円柱体１６aの外周面１６ａ３から立ち上がるように、円柱体１６aの端面１６ａ２側に形成されている。つまり、円柱体１６aと係止部１６ｂとは断面形状がＬ字形をしている。このとき、把持部１５の円柱部分１５ｂの外周面１５ｂ２から係止部１６ｂが突出するように、係止部１６ｂの長さが決められている。
【００４７】
以上がこの実施の形態によるタップ変更工具の構成である。次に、このタップ変更工具を用いた、変圧器のタップ変更について説明する。
【００４８】
まず、変圧器の従来タイプの端子台、つまり図１１〜図１３に示す第１の端子台でのタップ変更について説明する。作業者は、あらかじめタップ変更工具１０をボックスドライバーａに取り付ける。この場合、図１６に示すように、ボックスドライバーａのソケットａ３の端面付近に第１の把持部１５の端面が位置するように、かつ、図１７に示すように、軸部１１の他方の先端（図５に記載の他方の先端１１ｂ１）に向かう方向、つまり矢印Ａ２の方向に取っ手１２を押したときに、第２の把持部１６がソケットａ３の端面より前方に位置するように、ボックスドライバーａのシャフトａ２にタップ変更工具１０の固定部１４を固定する。
【００４９】
従来タイプの端子台でタップ変更を行う場合、作業者はボックスドライバーａを片手に持ち、タップ変更に関係するナットを全て緩める。図２２に示すような端子配列であれば、例えばナット２１２ａ、２１２ｂ、２１２ｄを緩める。
【００５０】
作業者は、ナット１１４ａ、１１４ｂ（図１１、図１２）を含む、該当するナットを緩めた後、ボックスドライバーａのソケットａ３をナットから外し、第１の把持部１５の把持孔１５ｅに切替板１１５の突起１１５ｇを差し込む。このとき、軸部１１の棒状体１１ｂが矢印Ａ１の方向に押される。しかし、タップ変更工具１０の収納部１３（図５）では、棒状体１１ｂにガイド板１１ｂ２が設けられている。この結果、ガイド板１１ｂ２と収納部１３の側面１３ａとが接触し、把持孔１５ｅに切替板１１５の突起１１５ｇを差し込んでも、軸部１１が押圧された方向（矢印Ａ１の方向）に動くことはない。したがって、切替板１１５の突起１１５ｇが把持孔１５ｅ内に直ちに入り込む。しかも、把持孔１５ｅ内には押圧バネ１５ｆ（図１０）が設けられている。これにより、把持孔１５ｅに差し込まれた突起１１５ｇと押圧バネ１５ｆとが接触し、押圧バネ１５ｆの弾性力によって、第１の把持部１５が突起１１５ｇを確実に把持する。
【００５１】
タップ変更工具１０の第１の把持部１５が切替板１１５の突起１１５ｇを把持した状態で、作業者は手に持ったボックスドライバーａを動かして、別の端子に切替板１１５をセットする。このとき、図１８に示すように、切替板１１５の突起１１５ｇを把持した第１の把持部１５の把持体１５ｄが矢印Ｃ１の方向に回転自在であり、かつ、タップ変更工具１０の棒状体１１ｂからオフセットされているので、スムースな移動を可能にしている。
【００５２】
この後、作業者は、絶縁板（図１１）と座金（図１１）との間に切替板１１５を差し込み、ボックスドライバーａを引き上げることにより、ボックスドライバーａの第１の把持部１５を切替板１１５の突起１１５ｇから離す。この後、作業者は、ボックスドライバーａのソケットａ３により、ナット（図１１）を締めて切替板１１５を固定し、変圧器のタップ変更を終了する。
【００５３】
以上のすべての作業は、片手に持ったボックスドライバーａを用いて行っている。
【００５４】
次に、変圧器の新型の端子台、つまり図１４と図１５に示す第２の端子台でのタップ変更について説明する。作業者はボックスドライバーａを片手に持ち、ボックスドライバーａのソケットａ３により切替板１２３のナット１２４、１２５を端子１２２ａ、１２２ｂから外す。作業者は、例えばナット１２４を外した後で、ナット１２５を外す。この後、図１９に示すように、ナット１２５がソケットａ３に入り込んだ状態で、作業者は、ボックスドライバーａのソケットａ３に対して、第１の把持部１５が例えば切替板１２３のアーム部１２３ｄの外側に位置するように、ボックスドライバーａのグリップａ１を回す。この実施の形態では、ナット１２５に対してアーム部１２３ｄと第２の把持部１６と把持体１５ｄとが直線上に並ぶように配置する。これにより、第２の把持部１６の係止部１６ｂがアーム部１２３ｄの連結部分に形成されている折り返し部１２３ｈの近傍に位置する。
【００５５】
次に、作業者は、ボックスドライバーａを握っている片手の例えば親指により、取っ手１２（図１７）を矢印Ａ２の方向に押し、さらに、取っ手１２を矢印Ｃ２（図１９）の方向に回すと、第２の把持部１６の係止部１６ｂが折り返し部１２３ｈの中に入り込む。この後、取っ手１２を押す動作を止めると、収納部１３（図５）に設けられているバネ１７の弾性力によって第２の把持部１６がアーム部１２３ｄの方に移動する。これにより、切替板１２３の折り返し部１２３ｈ（図１９）は、第２の把持部１６の係止部１６ｂとソケットａ３とによって挟まれ、かつ、このときにバネ１７による弾性力により、折り返し部１２３ｈは強く挟まれる。
【００５６】
次に、タップ変更工具１０の係止部１６ｂとボックスドライバーａのソケットａ３とで切替板１２３のアーム部１２３ｄが挟まれた状態で、作業者はボックスドライバーａを動かして、別の端子に切替板１２３をセットする。この後、作業者は、取っ手１２（図１７）を矢印Ａ２の方向に押し、さらに、取っ手１２のグリップａ１を矢印Ｃ２と反対の方向に回すと、第２の把持部１６の係止部１６ｂが折り返し部１２３ｈの外側に移動する。この後、作業者は、ボックスドライバーａのソケットａ３によりナットを締めて切替板１１５を固定し、変圧器のタップ変更を終了する。
【００５７】
以上のすべての作業は、片手に持ったボックスドライバーａを用いて行っている。
【００５８】
このように、この実施の形態によれば、タップ変更に際して工具取り出し（取り替え）時の油による汚染防止が図れる。また、この実施の形態によれば、タップ変更に際してタップ変更工具１０が装着されたボックスドライバーａを持ち替える必要がないため、従来の方法で生じていた、作業習熟度による作業時間の差が無くなり、作業時間の短縮が図れる。また、この実施の形態によれば、タップ変更に際して工具の持ち替えがなくなるため、変圧器内へ落下の恐れが減少する。また、この実施の形態によれば、タップ変更工具１０は従来型切替板と新型切替板の両タイプで使うことができる。さらに、この実施の形態によれば、市販のボックスドライバーａに対する付加装置としてタップ変更工具１０を取り付けるため、既存の工具が使用でき、コスト低減が図れる。
【００５９】
（実施の形態２）
この実施の形態では、タップ変更工具１０の第１の把持部１５や第２の把持部１６を交換式にしている。なお、この実施の形態では、先に説明した実施の形態１と同一もしくは同一と見なされる構成要素には、それと同じ参照符号を付けて、その説明を省略する。タップ変更工具１０の第２の把持部１６を交換式にする場合、把持部１６が付加されている第１の把持部１５を着脱式とする。把持部１５の着脱は、ネジ止めやマグネットなどを利用する。
【００６０】
また、タップ変更工具１０を第１の把持部１５として用いる場合には、図２０に示すように、第１の把持部１５の円柱部分１５ｂに対して軸部１１の棒状体１１ｂを端面まで差し込んだ状態にする。これにより、第２の把持部１６を併設しない構造にしている。この場合にも、第１の把持部１５を着脱式にしている。
【００６１】
さらに、タップ変更工具１０を第２の把持部１６として用いる場合には、図２１に示すように、把持部１６だけを棒状体１１ｂに連結するための連結部２１を新たに利用する。連結部２１は把持部１６および棒状体１１ｂを差し込むことが可能な筒体である。これにより、棒状体１１ｂに対して第２の把持部１６だけが保持される。この場合にも、第２の把持部１６、つまり連結部２１を着脱式にしている。
【００６２】
この実施の形態によれば、軸部１１の棒状体１１ｂに対する取り付けを変更することにより、第１の把持部１５、第２の把持部１６を組み合わせて使用することを可能にする。つまり、必要に応じて第１の端子台１１０用の工具または第２の端子台１２０用の工具に変更することを可能にする。
【符号の説明】
【００６３】
１０  タップ変更工具
１１  軸部
１１ａ、１１ｂ  棒状体
１２  取っ手
１３  収納部（収納手段）
１４  固定部（収納手段）
１５  第１の把持部（把持手段）
１５ｅ  把持孔
１５ｆ  押圧バネ
１６  第２の把持部（把持手段）
ａ  ボックスドライバー
ａ１  グリップ
ａ２  シャフト
ａ３  ソケット
１１０  第１の端子台
１１５  切替板
１１５ｇ  突起
１２０  第２の端子台
【図１】
2017127935.tif 000003
【図２】
2017127935.tif 000004
【図３】
2017127935.tif 000005
【図４】
2017127935.tif 000006
【図５】
2017127935.tif 000007
【図６】
2017127935.tif 000008
【図７】
2017127935.tif 000009
【図８】
2017127935.tif 000010
【図９】
2017127935.tif 000011
【図１０】
2017127935.tif 000012
【図１１】
2017127935.tif 000013
【図１２】
2017127935.tif 000014
【図１３】
2017127935.tif 000015
【図１４】
2017127935.tif 000016
【図１５】
2017127935.tif 000017
【図１６】
2017127935.tif 000018
【図１７】
2017127935.tif 000019
【図１８】
2017127935.tif 000020
【図１９】
2017127935.tif 000021
【図２０】
2017127935.tif 000022
【図２１】
2017127935.tif 000023
【図２２】
2017127935.tif 000024